(57)【要約】  機械又は工場の安全アクセスを管理するように構成された補助解除制御装置の駆動を検出する安全スイッチは、管理対象のアクセスの固定部に関連付けられるように構成された切換装置（２）であって、長軸（Ｘ）を画定し、制御のために１または複数の制御及び／又は保守回路に動作可能に接続されるように構成された切換手段（５）を収容するケース（４）を有する切換装置（２）と、アクセスの可動部に関連付けられて、回路の１または複数の開放／閉鎖のために、アクセスの開放／閉鎖時に切換手段（５）と相互作用する作動装置（３）と、ケース（４）に収容された解除機構（１３）であって、アクセスの係止位置から解除位置までの所定の最大ストロークで長手方向に併進し、切換手段（５）を開放させるように構成された解除ピン（１４）を有する解除機構（１３）と、解除ピン（１４）のストロークの開始を検出するように構成された少なくとも１つの第１の検出器（１８）を有する解除ピン（１４）のストロークを検出するための手段（１７）と、解除機構（１３）に動作可能に接続され、アクセスの静止位置から動作位置まで移動し、作動装置（３）が挿入されても、解除ピン（１４）の併進を促進することができる少なくとも１つの補助解除制御装置（２５、２６）と、を備え、検出手段（１７）が、少なくとも１つの補助解除制御装置（２５、２６）の始動を検出するように構成された少なくとも１つの補助検出器（３１）を備える。
2019537193.tif 000002
【特許請求の範囲】
【請求項１】
機械又は工場の安全なアクセスを管理するように構成された補助解除制御装置の駆動を検出する安全スイッチであって、
管理対象のアクセスの固定部に関連付けられるように構成された切換装置（２）であって、長軸（Ｘ）を画定し、制御のために１または複数の制御及び／又は保守回路に動作可能に接続されるように構成された切換手段（５）を収容するケース（４）を有する切換装置（２）と、
前記アクセスの可動部に関連付けられて、前記回路の１または複数の開放／閉鎖のために、前記アクセスの開放／閉鎖時に前記切換手段（５）と相互作用する作動装置（３）と、
前記ケース（４）に収容された解除機構（１３）であって、前記アクセスの係止位置から解除位置までの最大所定ストロークで縦方向に併進し、前記切換手段（５）を開放させるように構成された解除ピン（１４）を有する解除機構（１３）と、
前記解除ピン（１４）のストロークの開始を検出するように構成された少なくとも１つの第１の検出器（１８）を有する前記解除ピン（１４）のストロークを検出するための手段（１７）と、
前記解除機構（１３）に動作可能に接続され、前記アクセスの静止位置から動作位置まで移動し、前記作動装置（３）が挿入されても、前記解除ピン（１４）の併進を促進することができる少なくとも１つの補助解除制御装置（２５、２６）と、
を備え、
前記検出手段（１７）が、前記少なくとも１つの補助解除制御装置（２５、２６）の始動を検出するように構成された少なくとも１つの補助検出器（３１）を備える、安全スイッチ。
【請求項２】
前記検出手段（１７）が、前記解除ピン（１４）のストロークの終了を検出するように構成された少なくとも１つの第２の検出器（１９）を備える、請求項１に記載のスイッチ。
【請求項３】
前記補助検出器（３１）が、前記アクセスの解除ストロークにおける前記解除ピン（１４）の併進方向で前記第１の検出器（１８）及び／又は前記第２の検出器（１９）の上流に位置する、請求項１又は２に記載のスイッチ。
【請求項４】
前記少なくとも１つの補助解除制御装置（２５、２６）が、前記補助制御装置（２５、２６）が動作し、前記静止位置から前記動作位置へ通過する際に縦方向に移動可能な剛体構造（２７）を介して前記解除ピン（１４）に動作可能に接続されている、請求項１〜３のいずれか一項に記載のスイッチ。
【請求項５】
前記解除ピン（１４）が、対応する検出器（１８、１９）と相互作用するように構成された１つ又は一対の水平アーム（２０、２１）と一体化された下側スライダ（１５）を備える、請求項１〜４のいずれか一項に記載のスイッチ。
【請求項６】
前記可動構造（２７）が、前記解除ピンが係止位置にあって、前記補助制御装置（２５、２６）の動作と略同時に、解除位置に向かう併進を促進するとき、前記解除ピン（１４）の対応する水平アーム（２１、２２）と接する１または複数の長手アーム（３０）を備える、請求項５に記載のスイッチ。
【請求項７】
前記検出手段（１７）が、フォトカプラや光学バリアなどの光学検出器、磁気、誘導、容量、若しくは類似の検出器である、請求項１〜６のいずれか一項に記載のスイッチ。
【請求項８】
前記第１の検出器（１８）及び前記第２の検出器（１９）が、前記解除ピン（１４）の最大ストローク未満の距離、縦方向にオフセットされる、請求項２〜６のいずれか一項に記載のスイッチ。
【請求項９】
前記切換装置（２）が、前記作動装置（３）との相互作用後、前記切換手段（５）及び前記解除機構（１３）を動作させるように構成された論理制御部（２２）を備える、請求項１〜８のいずれか一項に記載のスイッチ。
【請求項１０】
前記解除機構（１３）が、前記論理部（２２）から給電されて前記解除ピン（１４）の併進を促進する電磁石（２３）を備え、前記論理部（２２）が、前記解除ピン（１４）の併進中の最小値及び最大値と、前記解除ピン（１４）が前記解除位置にあるときの一定エネルギー最小値とを有するエネルギーパルスを前記電磁石（２３）に供給するように構成されている、請求項９に記載の装置。
【発明の詳細な説明】
【技術分野】
【０００１】
本発明は、産業用電気装置の分野に適用され、特に、機械又は工場へのアクセスを制御するための安全スイッチに関し、非常押しボタンやキーセレクタなどの補助解除機構の駆動を検出するように構成される。
【背景技術】
【０００２】
知られるように、安全パネル、バリア、及び安全外周など、産業用機械又は工場のアクセスを防護するスイッチは、アクセスの固定部に固定することができる切換装置と、可動部に固定されるように構成された作動装置とを備える。
【０００３】
既知の方法で、可動部を閉鎖すると、切換装置と作動装置とが相互作用することによって、作業者の特定の動作を要する状況でない限り、機械又は工場を始動させることができる。
対照的に、アクセスを開放し、作動装置を切換装置から分離させると、機械又は工場は即時停止し、安全な状態でのアクセスを可能にする。
【０００４】
機械又は工場の電源回路の開閉用切換手段は、機械的又は電子的アクチュエータを用いて制御することができる。
例えば、同一出願人の名義のＥＰ２１１２６７４に記載される第１の種類のスイッチは可動装置を備え、当該可動装置が有するキーアクチュエータは、固定切換装置のスロットに挿入されて、切換手段の駆動機構に係合し、電源回路及び任意のあり得る補助回路を開閉させる。
【０００５】
例えば、同一出願人の名義で、ＷＯ２０１５０８３１４３及びＷＯ２０１５０８３１４４に記載される電子式スイッチでは、２つの装置には、切換装置に収容される制御部が作動装置の有無を区別して、それに応じて主電源回路を閉鎖又は開放できるように識別信号を送信することによって相互に通信するアンテナと送信機が設けられる。
【０００６】
２種類のスイッチの両方とも、切換装置が、切換手段に係合するように設計された摺動ピンを有する解除機構を収容して、ピンの下降ストローク時、切換手段に対して開放コマンドが送信される必要がある。
【０００７】
具体的には、解除機構は、切換手段が開放されたときのみ、アクセスを開放させるように設計される。
より高度なスイッチは、解除ピンのストロークを検出して、接点を開放し機械又は工場を停止するように構成された適切な信号を切換手段に送信するように構成されている制御部を更に備える。
【０００８】
具体的には、スライダの下降運動を検出してシステムを即時停止する光学感知検出器が設けられる。
これらのスイッチの第１の欠点は、検出手段が、ピンのストロークの開始のみを検出して、検出直後に、機械又は工場の運転を停止させるように設計されていることである。
【０００９】
対照的に、ピンのストローク終了、ひいてはピンの正確な動作は制御されない。
この動作モードは、解除ピンがストロークを適切に完了させたことを確認できないことに加えて、アクセスの正常な開放の結果であるピンの完全ストロークと、例えば、スイッチに伝達された振動又は高強度応力による部分ストロークとを区別しない。
【００１０】
ＷＯ２０１５０２８１０６は、２つの光学バリア近接センサを備えたキーアクチュエータを有する安全スイッチを開示しており、該センサは、アクチュエータによって生成されたストロークの結果であるピンの２つの別個の位置を検出するように構成されている。
【００１１】
しかしながら、２つのセンサは、切換装置のスロット内のアクチュエータの存在に関連する信号を生成するように設計されており、解除ステップ中のピンストロークの開始と終了を確認するようには設計されていない。
【００１２】
実際、このスイッチの設計によると、アクセスの開放のためのアクチュエータの抜取りステップ中、上側光学バリアは既に遮断されており、ピンの解除運動は下側光学バリアのみと相互作用してキーアクチュエータの抜取りを通知する。
【００１３】
したがって、このスイッチは、外部の衝撃又は振動によって生じる可能性のある解除ピンの最小ストロークを検出するには適していない。
既知の解決策の別の欠点は、アクセスの開放時にピンストロークを生成するように通常設計された電磁石の電源に関連する。
【００１４】
実際のところ、既知の解決策では、ピンをストローク終了位置に保持するために、常に電磁石に給電している。
しかしながら、ピンをストローク終了位置に確実にとどめるため、制御部が規則的な時間間隔で高い強度のエネルギーパルスを送るように設計されている結果、電力消費量が増大する。
【００１５】
最後に忘れてはならない点として、解除ピンのストロークの検出器が単一でしか存在しないことによる欠点は、キノコ型非常ボタンや類似の制御装置などの非常ボタンを備えたスイッチに見られる。
【００１６】
実際には、これらのスイッチでは、機械又は工場の運転停止が、アクセス開放の結果としてのピンの下方ストロークによるものか、又は非常ボタンの駆動によるものかを区別できない。
【００１７】
ＷＯ２０１６／０５８７１８は、非常ボタンを有するアクセスを閉鎖する装置を記載しており、閉鎖位置から開放位置まで移動するように構成された係止ピンが設けられている。
該装置には、通常動作から生じるアクセス解除状態と、非常ボタンの駆動から生じる解除状態とを区別するように設計された２つの検出器が設けられる。
【００１８】
しかしながら、この装置は、ピンの解除によって機械又は工場を動作停止させるキーアクチュエータ又は電子アクチュエータを備えたスイッチには適用されない。
【発明の概要】
【００１９】
本発明の目的は、高効率かつ高経済性を発揮する、補助解除制御装置の駆動検出部を備えた安全スイッチを設けることによって上記の欠点を克服することである。
特定の目的は、補助解除制御装置の駆動を検出することに加えて、アクセスの開放による機械又は工場の停止と、本制御装置の駆動による停止とを区別することができる安全スイッチを提供することである。
【００２０】
更に別の目的は、機械又は工場の動作を停止させる原因を完全に制御するため、解除機構のストローク開始とストローク終了の両方を検出可能な安全スイッチを提供することである。
【００２１】
更に別の目的は、解除機構の正確な動作を確認できる安全スイッチを提供することである。
別の目的は、エネルギーを節減させる、補助解除制御装置の駆動検出部を備えた安全スイッチを設けることである。
【００２２】
上記目的及び以下でより明確となるその他の目的は、請求項１による解除制御装置の駆動を検出する安全スイッチによって達成され、該安全スイッチは、管理対象のアクセスの固定部に関連付けられるように構成された切換装置であって、長軸を画定し、制御のために１または複数の制御及び／又は保守回路に動作可能に接続されるように構成された切換手段を収容するケースを有する切換装置と、アクセスの可動部に関連付けられて、回路の１または複数の開放／閉鎖のために、アクセスの開放／閉鎖時に切換手段と相互作用する作動装置と、ケースに収容された解除機構であって、アクセスの係止位置から解除位置まで所定の最大ストロークで長手方向に併進し、切換手段の開放を導くように構成された解除ピンを有する解除機構と、解除ピンのストロークの開始を検出するように構成された少なくとも１つの第１の検出器を有する解除ピンのストロークを検出するための手段と、解除機構に動作可能に接続され、アクセスの静止位置から動作位置まで移動し、作動装置が挿入されても、解除ピンの併進を促進することができる少なくとも１つの補助解除制御装置と、を備える。
【００２３】
検出手段は、上記少なくとも１つの補助解除制御装置の駆動を検出するように構成された少なくとも１つの補助検出器を備える。
このように、該スイッチは、補助制御装置の駆動を示すことによって、制御装置の駆動によって判定される機械の停止と、アクセスの開放によって生じる機械の停止とを区別することができる。
【００２４】
好ましくは、検出手段は、解除ピンのストロークの開始を検出するための少なくとも１つの第１の検出器と、ストロークの終了を検出するための第２の検出器とを備えてもよい。
このようにして、スイッチの正確な動作を確保し、解除ピンが完全なストロークを完了しなかった場合に適切に介入するため、解除ピンがストロークの少なくとも大半を完了したことを確認することができる。
【００２５】
同時に、スイッチに加えられる強い振動又は応力により限られたストロークをもたらす解除ピンの運動と、アクセスの開放又は非常ボタン又は他の解除制御装置によりピンの完全なストロークをもたらす運動とを区別することができる。
【００２６】
好適には、検出手段は、スライダの通過及び非常ボタンの構造を検出するフォトカプラや光学バリアなどの光学検出器であってもよく、又は磁気、誘導、容量、若しくは類似の検出器であってもよい。
【００２７】
これにより、この種のスイッチで既に広く使用されている技術が利用可能となることで、信頼性が高く、経済的であり、電子管理部品の再設計を必要としない。
本発明の有利な実施形態は従属請求項により得られる。
【図面の簡単な説明】
【００２８】
本発明の別の特徴と利点は、添付図面を使用して非限定的実施例により例示される本発明の安全スイッチの、好適だが非排他的な実施形態に関する詳細な説明を参照することでより明確になるであろう。
【００２９】
【図１】本発明のスイッチの第１の立面展開図である。
【図２】図１のスイッチの第２の立面展開図である。
【図３】第１の動作モードにおける電磁石への給電を示す図である。
【図４】第２の動作モードにおける電磁石への給電を示す図である。
【図５】第１の動作状態における解除機構及び検出手段を示す第１の側面図である。
【図６】第２の動作状態における解除機構及び検出手段を示す第２の側面図である。
【図７】第３の動作状態における解除機構及び検出手段の前面図である。
【図８】非常押しボタンの駆動シーケンス中の解除機構及び検出手段を示す斜視図である。
【発明を実施するための形態】
【００３０】
添付図面を参照すると、産業用機械又は工場へのアクセスを制御するための安全スイッチの好適だが非排他的な構造が示されており、該安全スイッチは、動作中に機械又は工場への危険なアクセスを防止するように構成されたバリア又は可動パネルに対して、好適だが非排他的なやり方で適用されるように構成される。
【００３１】
既知のやり方で、スイッチは、アクセスの開放要求が生じた場合、即時に又は時間をおいて機械又は工場の動作を遮断するようにアクセスの保護に適用されるべく設計されている。
アクセスの開放は、特に制限なく、右側又は左側の開放で、揺動又は摺動のいずれかの任意の種類とすることができる。
【００３２】
図示される構成では、スイッチは電子式であり、すなわち、より明確に後述するように、切換部と作動部との間に遠隔通信システムを有する。
しかしながら、別の図示されない実施形態によると、スイッチは、キーアクチュエータによる機械的又は電気機械的な始動も含む。
【００３３】
図１及び２から分かるように、全体が１で示されるスイッチは、制御対象のアクセスに固定されるように構成された切換装置２と、アクセスの可動部に固定されるように構成された作動装置３とを備える。
【００３４】
切換装置２及び作動装置３と各自のアクセス部との固定構造は、既知の種類であり、本発明の一部を成さないため、以下に詳述しない。
切換装置２はケース４を備え、ケース４は、長軸Ｌを画定し、図示しない主回路及び／又は保守及び非常回路に給電する、及び／又は当該回路を制御するために、１または複数の電気及び／又は電子回路に動作可能に接続されるように構成された切換手段５を収容する。
【００３５】
切換手段５は、当業界で一般的に使用されるものから選択してもよく、特に限定なくスイッチ機能に応じて変動させることができる。
切換手段５を接続する手段は、この種の製品にとって典型的なものから選択されるため、以下に詳述しない。
【００３６】
ケース４内には、この場合も既知の技術に従って、切換装置２と作動装置３との相互作用後、機械又は工場の１または複数の回路の開放／閉鎖のため、アクセスの開放／閉鎖時に切換手段と相互作用するアクチュエータ手段６も設けられる。
【００３７】
作動装置３は、アクセスの開放又は閉鎖後、アクチュエータ手段６を通じて切換手段５と相互作用して、安全スイッチの典型的モードにおいて１または複数の回路の開放又は閉鎖を判定するように設計される。
【００３８】
図示されるスイッチ１は電子式である、すなわち、作動装置３と切換手段５との相互作用は、作動装置３が切換装置２から所定の最小距離に位置するときに作動装置３から切換手段５に送信される電子信号によって制御されて、例えば、上述のＷＯ２０１５０８３１４３に開示されるように、アクセスが安全に閉鎖されたことを判断することができる。
【００３９】
具体的には、切換装置２は、ケース４内に適切に設けられた座部に挿入されたＲＦＩＤアンテナなどの受信機７を収容し、受信機７は、作動装置３が切換装置２によって検出可能な最小距離に位置するとき、可動作動装置３に収容される図示しない送信機又は応答機から送信される遠隔制御信号、すなわち、存在信号を受信するように設計される。
【００４０】
具体的には、応答機には、機械又は工場を始動させるために、受信機７が認識しなければならない識別コードを有するタグが設けられる。
コード認識は、高又は低暗号化レベルスイッチのいずれを達成したいかに応じて、一意であっても総称的であってもよい。
【００４１】
スイッチ１には、部分間の正確な位置合わせ又は精密な位置調整が使用中に失われた場合、受信機７と送信機又は応答機との間の位置合わせを少なくとも部分的に修復するためのセンタリング手段８が更に設けられる。
【００４２】
センタリング手段８は、作動装置３から水平に突出するセンタリングピン９と、ケース４の前側に形成され、アクセスの閉鎖時にセンタリングピン９を収容するように構成された中心穴１０とを備える。
【００４３】
中心穴１０内には、センタリングピン９の対応溝１１と係合し、アクセス時の振動又は偶発的なストロークの結果、脱出して望ましくない開放を招くのを防止するのに適した図示しない保持機構が更に設けられてもよい。
【００４４】
図示される構成では、ケース４は一体型であり、必須ではないが、アクセスのために脱着可能カバー１２が設けられてもよい。
しかしながら、図示しない変形によると、ケース４は、ＷＯ２０１５０８３１４３に記載されるように、モジュール式であってもよく、例えば、脱着可能及び／又は回転可能に本体に固定されるヘッドを有し、受信機７と中心穴１０の両方を収容してもよい。
【００４５】
センタリングピン９は、中心穴１０に挿入されて解除機構１３と相互作用するように設計され、解除機構１３は、切換手段５に接続され、アクセスの開放時、アクセスの係止位置から解除位置までの所定の最大ストロークで長手方向に併進して、切換手段５の開放を導くように構成された可動解除ピン１４を有する。
【００４６】
解除ピン１４は下側スライダ１５と関連付けられ、係止位置において、中心穴１０内に突出してセンタリングピン９の溝１１と係合し、機械的干渉のためにセンタリングピン９を係止する上端１６を有する。
【００４７】
解除ピン１４の運動は必ずしも単純な併進ではなく、回転併進のような複合的な運動であってもよいと理解される。
ケース４は、解除ピン１４のストロークを検出して、解除ピン１４のストローク開始とストローク終了時の到達の両方を検出することができる手段１７を更に収容する。
【００４８】
具体的には、検出手段１７は、解除ピン１４のストローク開始を検出する少なくとも１つの第１の検出器１８と、ストローク終了を検出する少なくとも１つの第２の検出器１９とを備える。
【００４９】
第１の検出器１８及び第２の検出器１９は、任意の種類であってもよく、好ましくは、フォトカプラや光学バリアなどの光学検出器、又は磁気、誘導、容量、若しくは類似の検出器である。
【００５０】
好適には、２つの検出器１８、１９は、解除ピン１４の最大の移動量よりも小さな距離で長手方向に相互にオフセットされるため、第２の検出器１９は、解除ピン１４がストローク終了位置に達する直前に介入することができる。
【００５１】
好ましくは、２つの検出器１８、１９は、解除ピン１４の対向側に配置される。
下側スライダ１５は次いで、一対の水平アーム２０、２１と一体化され、該アームは、解除ピン１４の対向側に配置され、対応する検出器１８、１９と長手方向に位置合わせされて、解除ピン１４の併進時に検出器１８、１９と相互作用する。
【００５２】
具体的には、水平アーム２０、２１は、干渉なく各自の検出器１８、１９と交差するような寸法に設定される。
切換装置２は、切換手段５の制御に加えて、作動装置３との通信を管理し信号を送信するように構成された論理制御部２２を更に備える。
【００５３】
また、論理制御部２２は、作動装置３との相互作用の結果、解除機構１３を移動させる。
具体的には、図示される構成では、解除機構１３は、アクセスの開放後、又は非常制御が受信されてスライダ１４の下方移動を促進するとき、論理部２２から給電される電磁石２３を備える。
【００５４】
図３は、既知の技術によるスイッチで既に行われていることとほぼ類似する、論理部２２の第１の動作モードを示す。
この第１の動作モードによると、論理部２２は、受信機７と送信機との通信の遮断後にアクセスの開放を検出すると、電磁石に衝撃エネルギーを供給することで、スライダ１５、及びスライダと一体化された解除ピン１４を下降させる。
【００５５】
解除ピン１４の解除ストローク中、及び解除ピン１４がストローク終了位置に存在する間のいずれも、パルス電力が保持される。
図４は、上記モードと異なる新規で特に有効な他の動作モードを示し、論理部２２は、ストローク終了位置における解除ピン１４の存在を示す信号を第２の検出器１９から受信した後、一定最小値のエネルギーを電磁石２３に供給する。
【００５６】
例示的には、最小給電値は、パルスピーク値の３０％に相当してもよい。
検出手段１７の動作は、図５〜７により明確に示される。
具体的には、図５から、解除ピン１４と一体化されたスライダ１５のストロークの開始時、２つの水平アーム２０のうちの一方が、所定の最小初期ストローク後に第１の検出器１８を通過することが分かる。
【００５７】
図示される位置では、第１の検出器１８ではまだ検出が行われておらず、アーム２０が第１の検出器１８内にほぼ完全に収まるときに検出が行われる。
図５の右側の画像から分かるように、第２のアーム２１は第２の検出器１９と相互作用していない。
【００５８】
好適には、論理部２２は、第１の検出器１８によって検出されたときのみ、切換手段５を開放するように設計することができる。
続いて、図６から分かるように、追加ストローク後、第２のアーム２１も第２の検出器１９を捕捉して、例えば、直接ケース４上又は中央部又は外部制御パネル上の制御灯をオンにするなどの視覚信号の送信を可能にする状況についての情報を生成する。
【００５９】
最後に、図７は、スライダ１５がストローク終了に達した状況を示す。
上述の好適だが非排他的な実施形態によると、切換装置２は、脱着可能及び／又は角度調整可能にケース４上に搭載された補助モジュール２４を更に備え、補助モジュールには、作動装置３が挿入され、アクセスが閉鎖されたときでも、解除ピン１４を解除位置に向けて摺動させるために解除機構１３に動作可能に接続される１または複数の補助解除制御装置が設けられる。
【００６０】
例示の実施形態では、非常ボタン２５とキーセレクタ２６によって表される２つの異なる補助制御装置が存在し、既知の方法で個別に手動で動作させることができる。
図８により明確に示すように、補助制御装置２５、２６は、剛体構造２７を通じてスライダ１５に接続され、剛体構造２７は、制御装置２５、２６のうちの一方の駆動と、静止位置から作動位置への通過の結果、ケース４内で縦方向に移動可能であり、解除ピン１４が摺動させられて、切換手段５の開放が行われる。
【００６１】
可動構造２７は、非常ボタン２５又はセレクタ２６に属する補完形状の第２の傾斜面手段２９と相互作用する第１の傾斜面手段２８を上端に備えるため、非常押しボタン２５の水平変位又はセレクタ２６の回転は、構造２７の縦方向の併進に相当する。
【００６２】
可動構造は一対の第２の長手アーム３０を備え、その下端が、解除ピン１４が開始位置にあるとき、スライダ１５のアーム２０、２１と接する。
このように、補助制御装置２５、２６が駆動されると、解除ピン１４の対応する下方移動が生成され、その結果、電源回路が開放される。
【００６３】
更に、検出手段１７は、可動構造２７のストロークを検出する解除段階中の解除ピン１４の摺動方向で第１の２つの検出器１８、１９の上流に配置された第３の検出器３１を備える。
【００６４】
具体的には、長手アーム３０の一方又は両方は、構造２７の下方ストロークの結果として対応する第３の検出器３１を捕捉するように構成された突出部３２を含んでもよい。
第３の検出器３１の検出により適切な信号が論理部２２に送信されて、スイッチ１の解除が、アクセスの開放又はその他の原因ではなく、補助制御装置２５、２６の駆動によって引き起こされたことを通知することができる。
【００６５】
上記から、本発明によるスイッチが、意図される目的を達成する、具体的には、補助制御装置を用いて解除が行われたことを検出するのは明らかである。
該スイッチには、添付の請求項に記載される発明の概念に属する様々な変更及び変形を加えてもよい。さらに、細部はすべて他の技術上等価な構成要素と置き換えてもよく、材料も本発明の保護範囲から逸脱せずに、要件に応じて変更してもよい。
【００６６】
スイッチを添付図面を特に参照して説明したが、本明細書及び請求項で使用される参照符号は、本発明を理解し易くするために使用されており、請求の範囲を何ら限定するものではない。
【図１】
2019537193.tif 000003
【図２】
2019537193.tif 000004
【図３】
2019537193.tif 000005
【図４】
2019537193.tif 000006
【図５】
2019537193.tif 000007
【図６】
2019537193.tif 000008
【図７】
2019537193.tif 000009
【図８】
2019537193.tif 000010
【国際調査報告】
2019537193.tif 000011
2019537193.tif 000012
2019537193.tif 000013